(57)【特許請求の範囲】
【請求項１】
装着者の身体に巻回される帯と、乳幼児の身体を包容する支持本体とを備えた抱っこ具であって、
上記支持本体が、
その上端左右の縁部から延設される第一帯及び第二帯と、
上記支持本体の下端左右の縁部から延設される第三帯及び第四帯と、
上記第一帯及び第三帯にそれぞれ取り付けられた雄バックルと、
上記第二帯及び第四帯にそれぞれ取り付けられた雌バックルと、を備え、
上記第一帯に取り付けられた上記雄バックルが上記第二帯及び／又は第四帯に取り付けられた一方の上記雌バックルと嵌合し、上記第三帯に取り付けられた上記雄バックルが上記第二帯及び／又は第四帯に取り付けられた他の上記雌バックルと嵌合することを特徴とする、抱っこ具。
【請求項２】
装着者の身体に巻回される帯と、乳幼児の身体を包容する支持本体とを備えた抱っこ具であって、
上記支持本体が、
その上端左右の縁部から延設される第一帯及び第二帯と、
上記支持本体の下端左右の縁部から延設される第三帯及び第四帯と、
上記第一帯及び第三帯の先端にそれぞれ取り付けられた雌バックルと、
上記第二帯及び第四帯にそれぞれ取り付けられ開口部を有するＤカンと、
各雌バックルから延設される延長帯と、
各延長帯の先端にそれぞれ取り付けられた雄バックルと、を備え、
上記第一帯の雌バックルから延設した延長帯に取り付けられた上記雄バックルを上記第二帯及び／又は第四帯に取り付けられた一方の上記Ｄカンの上記開口部に挿通させて上記第一帯の雌バックルに嵌合させ、上記第三帯の雌バックルから延設した延長帯に取り付けられた上記雄バックルを上記第二帯及び／又は第四帯に取り付けられた他のＤカンの開口部に挿通させて上記第三帯の雌バックルに嵌合させることを特徴とする、抱っこ具。
【請求項３】
装着者の身体に巻回される帯と、乳幼児の身体を包容する支持本体とを備えた抱っこ具であって、
上記支持本体が、
その上端左右の縁部から延設される第一帯及び第二帯と、
上記支持本体の下端左右の縁部から延設される第三帯及び第四帯と、
上記第一帯及び第三帯の先端にそれぞれ取り付けられた雌バックルと、
上記第二帯及び第四帯にそれぞれ取り付けられ開口部を有する着脱抑制部材と、
各雌バックルから延設される延長帯と、
各延長帯の先端にそれぞれ取り付けられた雄バックルと、を備え、
上記第一帯の雌バックルから延設した延長帯に取り付けられた上記雄バックルを上記第二帯及び／又は第四帯に取り付けられた一方の上記着脱抑制部材の上記開口部に挿通させて上記第一帯の雌バックルに嵌合させ、上記第三帯の雌バックルから延設した延長帯に取り付けられた上記雄バックルを上記第二帯及び／又は第四帯に取り付けられた他の着脱抑制部材の上記開口部に挿通させて上記第三帯の雌バックルに嵌合させることを特徴とする、抱っこ具。
【請求項４】
前記着脱抑制部材が、開口部を有する環状部材とこの環状部材の開口部内で回動可能に枢着された安全弁とで構成されたことを特徴とする、請求項３記載の抱っこ具。
【請求項５】
前記支持本体の上縁からフラップが延設され、
このフラップの周縁と上記支持本体の表面とに、止着部材が設けられ、
上記支持本体が下方から折り畳まれた際に、折り畳まれた支持部材を包むように上記フラップが被され、上記止着部材により収納されることを特徴とする、請求項１〜４の何れか１項に記載の抱っこ具。
【請求項６】
前記支持部材に乳幼児の身体に巻回されるホールドベルトが設けられることを特徴とする、請求項１〜５の何れか１項に記載の抱っこ具。
【請求項７】
前記支持部材の乳幼児の臀部が当接する足ぐり部が立体的に形成されることを特徴とする、請求項１〜６の何れか１項に記載の抱っこ具。
【発明の詳細な説明】
【０００１】
【発明の属する技術分野】
本発明は、母親などが乳幼児を抱く際に使用される抱っこ具に関し、特に、乳幼児を多様な状態で抱くことができるように構成した抱っこ具に関する。
【０００２】
【従来の技術】
子守の際に乳幼児を背中におぶわずに、身体の前面で乳幼児を抱くようにした抱っこ具が知られている。このように、身体の前面で乳幼児を抱く場合に使用する抱っこ具として、図１７に示すような抱っこ具５０がある。この抱っこ具５０は、母親などの着用者の腰まわりに装着される腰ベルト５１と、腰ベルト５１に取り付けられた乳幼児が着座するシートと乳幼児の体を包む本体５３と、着用者の片側の肩に掛けられる肩ベルト５４とで構成される。
【０００３】
このような抱っこ具５０の使用に際して、乳幼児は、着用者の前面（腹部）と本体５３との間で着座するようにして、着用者に抱かれる。
また、乳幼児を抱っこしない場合は、肩ベルト５４や本体５３などは、腰ベルト５１に取り付けられた被覆部材５５内に収容されて、コンパクトな状態で腰まわりに取り付けられる。
【０００４】
【発明が解決しようとする課題】
このような抱っこ具５０の使用時においては、乳幼児の体重は、着用者の一方の肩と腰に分散されるが、肩ベルト５４を両肩に掛けることができないので、乳幼児を長時間抱っこすると、肩ベルト５４が掛けられた一方の肩への負担が大きくなるといった課題がある。
そこで、本発明は上記課題を解決するために創作されたものであり、乳幼児を抱っこする際に肩ベルトを一方の肩に掛ける場合のみならず、両肩にも掛けることができる、抱っこ具を提供することを目的とする。
【０００５】
【課題を解決するための手段】
上記課題を解決するために、本発明は、装着者の身体に巻回される帯と、乳幼児の身体を包容する支持本体とを備えた抱っこ具であって、上記支持本体が、その上端左右の縁部から延設される第一帯及び第二帯と、上記支持本体の下端左右の縁部から延設される第三帯及び第四帯と、上記第一帯及び第三帯にそれぞれ取り付けられた雄バックルと、上記第二帯及び第四帯にそれぞれ取り付けられた雌バックルと、を備え、上記第一帯に取り付けられた雄バックルが第二帯及び／又は第四帯に取り付けられた一方の雌バックルと嵌合し、第三帯に取り付けられた雄バックルが第二帯及び／又は第四帯に取り付けられた他の雌バックルと嵌合することを特徴としている。
なお、本発明の抱っこ具においては、雄バックルと雌バックルの取付位置を逆に配置してもよい。この点においては、下記においても同様である。
【０００６】
また、上記課題を解決するために、本発明は、装着者の身体に巻回される帯と、乳幼児の身体を包容する支持本体とを備えた抱っこ具であって、上記支持本体が、その上端左右の縁部から延設される第一帯及び第二帯と、上記支持本体の下端左右の縁部から延設される第三帯及び第四帯と、上記第一帯及び第三帯の先端にそれぞれ取り付けられた雌バックルと、上記第二帯及び第四帯にそれぞれ取り付けられ開口部を有するＤカンと、各雌バックルから延設される延長帯と、各延長帯の先端にそれぞれ取り付けられた雄バックルと、を備え、上記第一帯の雌バックルから延設した延長帯に取り付けられた雄バックルを第二帯及び／又は第四帯に取り付けられた一方のＤカンの開口部に挿通させて第一帯の雌バックルに嵌合させ、第三帯の雌バックルから延設した延長帯に取り付けられた雄バックルを第二帯及び／又は第四帯に取り付けられた他のＤカンの開口部に挿通させて第三帯の雌バックルに嵌合させることを特徴としている。
【０００７】
また、上記課題を解決するために、本発明は、装着者の身体に巻回される帯と、乳幼児の身体を包容する支持本体とを備えた抱っこ具であって、上記支持本体が、その上端左右の縁部から延設される第一帯及び第二帯と、上記支持本体の下端左右の縁部から延設される第三帯及び第四帯と、上記第一帯及び第三帯にそれぞれ取り付けられた雌バックルと、上記第二帯及び第四帯にそれぞれ取り付けられ開口部を有する着脱抑制部材と、各雌バックルから延設される延長帯と、各延長帯の先端にそれぞれ取り付けられた雄バックルと、を備え、上記第一帯の雌バックルから延設した延長帯に取り付けられた雄バックルを第二帯及び／又は第四帯に取り付けられた一方の着脱抑制部材の開口部に挿通させて第一帯の雌バックルに嵌合させ、第三帯の雌バックルから延設した延長帯に取り付けられた雄バックルを第二帯及び／又は第四帯に取り付けられた他の着脱抑制部材の上記開口部に挿通させて第三帯の雌バックルに嵌合させることを特徴としている。
【０００８】
前記着脱抑制部材は、開口部を有する環状部材と、この環状部材の開口部内で回動可能に枢着された安全弁とで構成されることが望ましい。
【０００９】
また、前記支持本体の上縁からフラップが延設され、このフラップの周縁と支持本体の表面とに止着部材が設けられ、支持本体が下方から折り畳まれた際に、折り畳まれた支持部材を包むようにこのフラップが被され、止着部材により収納されるように構成してもよい。
【００１０】
さらに、前記支持部材に乳幼児の身体に巻回されるホールドベルトが設けられるのが望ましい。
【００１１】
さらに、前記支持部材の乳幼児の臀部が当接する足ぐり部が立体的に形成されてもよい。
【００１２】
【発明の実施の形態】
以下、図面を参照して本発明の実施形態を説明する。
図１及び２は、本発明の実施形態に係る抱っこ具１を示す正面図と背面図である。これらの図に示す抱っこ具１は、乳幼児を抱っこする際に、簡単な操作により、乳幼児を抱っこする形態を切り替えることができるものである。
このため、抱っこ具１は、図１及び図２に示すように、略台形状の乳幼児の身体を支える支持本体１１と、乳幼児の胴周りに巻回される共に、支持本体１１の表側に装着されることにより子供を手で支えながらの着脱が可能なホールドベルト１２と、装着者の胴体に巻回される帯１３〜１６とを備えている。
【００１３】
支持本体１１は、上方が幅広に且つ下方に行くにつれてその幅が狭く形成されている。これにより、前向きと対面での抱っこが可能となる。また、支持本体１１は、生地で構成されているため、折り畳み可能になっている。なお、支持本体１１は略台形状に形成される他、楕円形や四角形状などに形成されてもよい。
【００１４】
帯１３，１４は、支持本体１１の上端隅から延設されており、この帯１３，１４の先端部には長さを調節するための雄バックル１３ａとそれと嵌合する雌バックル１４ａとが取り付けられている。
帯１５，１６は、支持本体１１の下端隅から延設されており、この帯１５，１６の先端部には長さを調節するための雄バックル１５ａとそれと嵌合する雌バックル１６ａとが取り付けられている。
【００１５】
ここで、図１に示すように、各雄型のバックル１３ａ，１５ａは、支持本体１１を中心とした場合に左側の各帯１３，１５に配設されるようになっており、各雌側のバックル１４ａ，１６ａは雄型のバックル１３ａ，１５ａとは対象に右側の各帯１４，１６に配設されるようになっている。即ち、支持本体１１の上端左隅及び下端左隅からそれぞれ延設された帯１３，１５には、雄バックル１３ａ，１５ａが取り付けられ、支持本体１１の上端右隅及び下端右隅からそれぞれ延設された帯１４，１６には、雌バックル１４ａ，１６ａが取り付けられている。
帯１３，１５に取り付けられる雄バックル１３ａ，１５ａは同一形状に構成されており、帯１４，１６に取り付けられている雌バックル１４ａ，１６ａも同一形状に構成されている。このため、帯１３に取り付けられた雄バックル１３ａは、帯１４に取り付けられた雌バックル１４ａに嵌合できると共に、帯１６に取り付けられた雌バックル１６ａにも嵌合できるようになっている。また、帯１５に取り付けられた雄バックル１５ａも、各雌バックル１４ａ，１６ａに嵌合できるようになっている。
【００１６】
また、図２に示すように、支持本体１１の上端の縁部、即ち、帯１３，１４が延設する支持本体１１の上端両隅間の縁には、フラップ１７が支持本体１１から捲れるように延設される。このフラップ１７は生地を用いて略半円状に形成されており、その弧状をなす周縁にはファスナー１８ａが取り付けられている。
【００１７】
一方、支持本体１１の表側においては、図１に示すように、フラップ１７に取り付けられたファスナー１８ａと噛合するファスナー１８ｂが取り付けられている。また、ホールドベルト１２は、図２に示すように、長さを調節するための雄バックル１２ａとそれと嵌合する雌バックル１２ｂとを備えている。
【００１８】
上述の如く構成された、本発明の実施形態に係る抱っこ具１の使用方法について説明する。
本発明の実施形態に係る抱っこ具１の使用方法としては、（ａ）一方の肩に帯を掛けるワンショルダータイプとして使用する場合、（ｂ）両方の肩に帯を掛けるツーショルダータイプとして使用する場合、（ｃ）帯や支持本体を収納した状態で使用する場合、（ｄ）帯や支持本体を収納する場合がある。
【００１９】
先ず、ワンショルダータイプとして使用する場合を説明する。
ワンショルダータイプとして使用する場合は、図３に示すように、雄バックル１３ａと雌バックル１４ａとを嵌合させて、帯１３と帯１４とでループを形成させる。さらに、雄バックル１５ａと雌バックル１６ａとを嵌合させて、帯１５と帯１６とでループを形成する。
ここで、帯１３と帯１４とは、それらが連結されされることで、図４（ａ）に示すように、一方の肩に掛けられる肩ベルトとして用いられ、また帯１５と帯１６とは、それらが連結されることで、図４（ｂ）に示すように、腰ベルトとして用いられるようになる。
【００２０】
実際に使用する手順としては、抱っこ具１を装着する者の腰の後ろで、雄バックル１５ａと雌バックル１６ａとを嵌合させる。そして、装着者の体型に合わせて、帯１５，１６の長さを調節する。次に、雄バックル１３ａと雌バックル１４ａとを嵌合させて、帯１３，１４を装着者の一方の肩に掛ける。
次に、装着者の腹部と支持本体１１との間に乳幼児を装着者と会い向いになるように入れ、ホールドベルト１２を乳幼児の胴まわりに巻回させる。そして、乳幼児の体型に合わせてホールドベルト１２の長さを調節する。その際、帯１３，１４を乳幼児の脇下に通すように位置させる。
そして、装着者の体型に合わせて帯１３，１４の長さを調節する。
【００２１】
このようにして、図４（ａ）に示すような、帯１３を装着者の一方の肩に掛けた状態で、乳幼児を抱っこ具１の装着者と対向して抱っこすることができる。
【００２２】
次に、ツーショルダータイプとして使用する場合を説明する。
ツーショルダータイプとして使用する場合は、図５に示すように、雄バックル１３ａと雌バックル１６ａとを嵌合させて、帯１３と帯１６とでループを形成させる。さらに、雄バックル１５ａと雌バックル１４ａとを嵌合させて、帯１５と帯１４とでループを形成させる。
ここで、帯１３と帯１６とは、それらが連結されることで、図６（ａ）及び（ｂ）に示すように、一方の肩に掛けられる肩ベルトとして用いられ、また帯１５と帯１４とは、それらが連結されることで、同様に、他方の肩に掛けられる肩ベルトとして用いられるようになる。
【００２３】
実際に使用する手順としては、抱っこ具１を装着する者の背面で、帯１４を装着者の一方の肩に掛けた状態で雄バックル１５ａと雌バックル１４ａとを嵌合させると共に、帯１３を装着者の他方の肩に掛けた状態で雄バックル１３ａと雌バックル１６ａとを嵌合させる。そして、装着者の体型に合わせて、各帯１３〜１６の長さを調節する。
次に、装着者の腹部と支持本体１１との間に乳幼児を抱っこ具１の装着者と対向するように受容し、ホールドベルト１２を乳幼児の胴まわりに巻回させる、その際、帯１３，１４を乳幼児の脇下に通すように位置させる。そして、乳幼児の体型に合わせてホールドベルト１２の長さを調節する。
【００２４】
以上により、図６（ａ）に示すような、帯１３を装着者の一方の肩に掛けると共に帯１４を他方の肩に掛けた状態で、乳幼児を抱っこ具１の装着者と対向して抱っこすることができる。
なお、ツーショルダータイプとして使用する場合には、抱っこする乳幼児を装着者と対向して抱っこする他、乳幼児の背中が抱っこ具１の装着者の腹部と当接するように抱っこすることもできる。
したがって、ツーショルダータイプとして使用する際には、乳幼児を二通りの状態で抱っこすることができる。
【００２５】
次に、帯１５，１６や支持本体１１の収納について図７を用いて説明する。
帯１５，１６や支持本体１１を収納する場合は、図２に示す帯１５，１６を支持本体１１の裏面上に重ね、帯１５，１６と共に支持本体１１をその下方から上方に向けて折り畳む。 そして、図７（ａ）に示すように、フラップ１７を支持本体１１の上部から捲り、フラップ１７と支持本体１１の上部との間に、折り畳んだ支持本体１１と帯１５，１６を入れる。
【００２６】
次いで、フラップ１７のファスナー１８ａと支持本体１１の表面に取り付けられたファスナー１８ｂとを噛み合わせる。このようにすることで、図７（ｂ）に示すように、抱っこ具１は、支持本体１１や帯１５，１６をコンパクトに収納することができる。このように、コンパクトになった抱っこ具１を、装着者は、帯１３，１４を肩ベルトとして使用して一方の肩に掛けて長さを調節して装着したり、腰に巻いてウェストバックのように装着することができる。
なお、収納方法については、上述に限定されず、支持本体１１収納用の袋部を帯の途中に設け、この袋部に収納するようにしてもよい。
【００２７】
次に、帯１５，１６や支持本体１１を収納した状態で使用する場合について図８を参照して説明する。
帯１５，１６や支持本体１１を収納した状態で使用する場合は、図８に示すように帯１３を一方の肩に掛けた状態で、抱っこ具１の装着者の背面で図７（ｂ）に示す雄バックル１３ａと雌バックル１４ａとを嵌合させる。 そして、装着者の体型に合わせて、帯１５，１６の長さを調節する。
次いで、抱っこ具１の装着者の腹部と折り畳まれた支持本体１１との間に、乳幼児の足を入れると共に、乳幼児を折り畳まれた支持本体１１に座らせる。
【００２８】
以上により、図８に示すように、帯１５，１６や支持本体１１を収納すると共に、帯１３を装着者の一方の肩に掛けた状態で、乳幼児を抱っこ具１の装着者と対向させて抱っこすることができる。
【００２９】
このように、本発明の実施形態に係る抱っこ具１によれば、（１）ワンショルダータイプで図４（ａ）に示すように乳幼児を装着者と向かい合わせにした状態で抱っこして使用したり、（２）ツーショルダータイプで図６（ａ）に示すように乳幼児を装着者と向かい合わせにした状態で抱っこして使用したり、（３）ツーショルダータイプで乳幼児の背中が抱っこ具１の装着者の腹部と当接するように抱っこして使用したり、（４）帯１５，１６や支持本体１１を収納した状態で、図８に示すように乳幼児を装着者と向かい合わせにした状態で抱っこして使用したりすることができ、乳幼児を４通りの方法で抱っこすることができる。
【００３０】
また、本発明の実施形態に係る抱っこ具１によれば、雄バックル１３ａ，１５ａと雌バックル１４ａ，１６ａとの嵌合の組み合わせをいずれかに選択することにより、ワンショルダータイプ，ツーショルダータイプとして使用の形態を簡易に切り替えることができる。
【００３１】
なお、上記抱っこ具１をワンショルダータイプとして使用する場合、子供の臀部は左右どちらかに偏りがちであるが、図９に示すように足ぐり部１１ａにタッグ１１ｂを入れて立体縫製にして支持本体１１を形成することで、子供の臀部の左右のずれを抑制することができる。
【００３２】
次に、本発明の実施形態の一変形例に係る抱っこ具２について図１０及び図１１を用いて説明する。なお、上記説明で用いた符号と同一の符号を付すものは同一の部材を示す。
実施形態の一変形例に係る抱っこ具２は、上記で説明した抱っこ具１と同様に４通りの方法で乳幼児を抱っこすることができる点においては差異はないが、各帯１３〜１６同士を連結する部材が異なる点で相違する。
【００３３】
図１０に示すように、抱っこ具２は、帯１３，１５の先端に雌バックル１３ｂ，１５ｂを取り付け、これらの雌バックル１３ｂ，１５ｂに延長帯１３ｃ，１５ｃを延設させ、さらにこれらの延長帯１３ｃ，１５ｃの先端に雄バックル１３ｄ，１５ｄを取り付けるともに、帯１４，１６の先端にＤカン１４ｂ，１６ｂを取り付けて構成されることを特徴とする。
【００３４】
上記雌バックル１３ｂと雌バックル１５ｂとは同一形状に形成され、また雄バックル１３ｄと雄バックル１５ｄとは同一形状に形成される。 そして、雌バックル１３ｂ，１５ｂと雄バックル１３ｄ，１５ｄとは、それぞれ嵌合するようになっている。
ここで、実際の取付方法としては、図１１（ａ）に示すように、雄バックル１３ｄ，１５ｄをＤカン１４ｂ，１６ｂの開口部に挿通させ、その後図１１（ｂ）に示すように雄バックル１３ｄ，１５ｄと雌バックル１３ｂ，１５ｂとを嵌合させることで、各帯１３〜１６の連結が完了する。
【００３５】
このように構成された抱っこ具２によれば、雄バックル１３ｄ，１５ｄが雌バックル１３ｂ，１５ｂから外れた場合に、図１１（ｃ）に示すように、雄バックル１３ｄ，１５ｄがＤカン１４ｂ，１６ｂに引っかかった状態になる。
従って、雄バックル１３ｄ，１５ｄが雌バックル１３ｂ，１５ｂから不意に外れたとしても、Ｄカン１４ｂ，１６ｂに雄バックル１３ｄ，１５ｄが係止されることで、帯１３と帯１４とを連結させてそれらを肩ベルトとして使用している際にも、一方の肩にこの肩ベルトが常に掛けられた状態を確保できる。よって、不意にバックルがはずれてしまっても安全であり、乳幼児を常に安定した状態で抱っこすることができる。
【００３６】
次に、本発明の実施形態の応用例に係る抱っこ具３について図１２〜図１６を用いて説明する。なお、上記説明で用いた符号と同一の符号を付すものは同一の部材を示す。
実施形態の応用例に係る抱っこ具３は、上記で説明した抱っこ具１，２と同様に４通りの方法で乳幼児を抱っこすることができる点においては差異はないが、上記抱っこ具３と比較して安全弁を備えて構成されている点で相違する。
【００３７】
図１２は、本発明の実施形態の応用例に係る抱っこ具３の延長帯１３ｃ，１５ｃと帯１４，１６とを連結させる構造例を示す斜視図であり、この図に示すように、抱っこ具３は着脱抑制部材２０を備えて構成される。
着脱抑制部材２０は、図１３に示すように、延長帯１３ｃ，１５ｃを挿通させる開口部２１ａを備えた環状部材２１と、この環状部材２１の開口部２１ａ内で回動可能に枢着される安全弁２２とを備えて構成される。
【００３８】
環状部材２１は、図１４（ａ）に示すように、安全弁２２の軸２２ａが枢着される孔２１ｂを備えて構成され、安全弁２２は、図１４（ｂ）に示すように、傾斜した突出片２２ｂと、帯１４，１６が挿通されるスリット２２ｃとを備えて形成されている。
また、帯１４，１６には、図１２に示すように、長さを調節するコキ３０を取り付けて、調節した帯１４，１６の長さが一定に保たれるように帯１４，１６を係止するようになっている。
【００３９】
このように構成された着脱抑制部材２０を備えた抱っこ具３によれば、図１２及び図１５に示すように延長帯１３ｃ，１５ｃと帯１４，１６とが連結されており、このような状態から延長帯１３ｃ，１５ｃの先端に取り付けた雄バックル１３ｄ，１５ｄ（図１０参照）が雌バックル１３ｂ，１５ｂから外れたとしても、雄バックル１３ｄ，１５ｄが環状部材２１と安全弁２２の突出片２２ｂとにより、開口部２１ａを挿通しないように係止する。
したがって、雄バックル１３ｄ，１５ｄが雌バックル１３ｂ，１５ｂから不意に外れた際には、雄バックル１３ｄ，１５ｄが環状部材２１の位置まで動くが、着脱抑制部材２０に雄バックル１３ｄ，１５ｄが係止されることで、帯１３と帯１４とを連結させてそれらを肩ベルトとして使用している際にも、一方の肩にこの肩ベルトが常に掛けられた状態を確保できる。よって、バックルが外れてしまっても安全であり、乳幼児を常に安定した状態で抱っこすることができる。
【００４０】
なお、例えば、図１５に示すように、環状部材２１が延長帯１３ｃ，１５ｃによりＸ方向に引っ張られ、安全弁２２が帯１４，１６によりＸ方向に引っ張られた際に、安全弁２２の突出片２２ｂの先端と環状部材２１との間隔Ｌ（図１５参照）が、延長帯１３ｃ，１５ｃがスライドできる程度の間隔で構成されるのが望ましい。
【００４１】
また、上記の抱っこ具３の説明においては、着脱抑制部材２０が環状部材２１を備えて構成される場合を説明したが、この環状部材２１の代わりに、図１６に示す略コ字状などのコ字状部材２３を用いて構成されてもよい。
【００４２】
また、上記説明では、止着部材がファスナー１８ａ，１８ｂで構成される場合を例示したが、その他、例えば面ファスナーなどで構成されてもよい。
上記詳述した以外に、本発明は、発明の趣旨を逸脱しない範囲において様々な形態で実施できる。
【００４３】
【発明の効果】
本発明の抱っこ具によれば、乳幼児を抱っこする際に、簡単な操作により、乳幼児を抱っこする形態を切り替えることができる。また、肩ベルトを両肩に掛けることができるので、抱っこ具の使用時における着用者の肩への負担を軽減することができる。
【図面の簡単な説明】
【図１】本発明の実施形態に係る抱っこ具の正面図である。
【図２】本発明の実施形態に係る抱っこ具の背面図である。
【図３】本発明の実施形態に係る抱っこ具を示す斜視図である。
【図４】（ａ）及び（ｂ）はそれぞれ本発明の実施形態に係る抱っこ具を装着した状態を示す図である。
【図５】本発明の実施形態に係る抱っこ具を示す斜視図である。
【図６】（ａ）及び（ｂ）はそれぞれ本発明の実施形態に係る抱っこ具を装着した状態を示す図である。
【図７】（ａ）及び（ｂ）はそれぞれ本発明の実施形態の帯及び支持本体を収納した状態を示す図である。
【図８】本発明の実施形態に係る抱っこ具を装着した状態を示す図である。
【図９】本発明の実施形態に係る支持本体の構成例を示す斜視図である。
【図１０】本発明の実施形態の一変形例に係る抱っこ具を示す正面図である。
【図１１】（ａ）〜（ｃ）はそれぞれ本発明の実施形態の一変形例に係る帯の連結構成例を示す図である。
【図１２】本発明の実施形態の応用例に係る抱っこ具の延長帯と帯とを連結させる構造例を示す斜視図である。
【図１３】本発明の実施形態の応用例に係る着脱抑制部材の分解図である。
【図１４】（ａ）は図１３のＢ−Ｂ拡大断面図であり、（ｂ）は図１３のＣ−Ｃ拡大断面図である。
【図１５】図１２のＡ−Ａ断面図である。
【図１６】本発明の実施形態の応用例に係る着脱抑制部材のコ字状部材を示す斜視図である。
【図１７】従来の抱っこ具を示す斜視図である。
【符号の説明】
１，２，３    抱っこ具
１１    支持本体
１２    ホールドベルト
１３〜１６    帯
１３ａ，１３ｄ，１５ａ１５ｄ    雄バックル
１３ｃ，１５ｃ    延長帯
１３ｂ，１５ｂ，１４ａ，１６ａ    雌バックル
１４ｂ，１６ｂ    Ｄカン
１７    フラップ
１８ａ，１８ｂ    ファスナー
２０    着脱抑制部材
２１    環状部材
２１ｂ  孔
２２    安全弁
２２ａ  軸
２２ｂ  突出片
２２ｃ  スリット
【図１】
0004930870.tif 000002
【図２】
0004930870.tif 000003
【図３】
0004930870.tif 000004
【図４】
0004930870.tif 000005
【図５】
0004930870.tif 000006
【図６】
0004930870.tif 000007
【図７】
0004930870.tif 000008
【図８】
0004930870.tif 000009
【図９】
0004930870.tif 000010
【図１０】
0004930870.tif 000011
【図１１】
0004930870.tif 000012
【図１２】
0004930870.tif 000013
【図１３】
0004930870.tif 000014
【図１４】
0004930870.tif 000015
【図１５】
0004930870.tif 000016
【図１６】
0004930870.tif 000017
【図１７】
0004930870.tif 000018